(57)【要約】【課題】照明設計プランを顧客に迅速に提示することができる照明設計プラン提示プログラムを提供する。【解決手段】照明設計プラン提示プログラムＰは、コンピュータ３に、操作部２Ａに第１の所定の操作がなされたことに基づいて撮像部１が取得した住宅の平面図１００Ａの画像データを記憶部４に記憶させ、操作部２Ａに第２の所定の操作がなされたことに基づいて住宅の間取りＦＰのデータを記憶部４に記憶させ、記憶部４に記憶された住宅の平面図１００Ａの画像データおよび住宅の間取りＦＰのデータを照明設計データベースＤＢ１へ通信部５に送信させ、照明設計データベースＤＢ１から送信されてきた少なくとも１つの照明設計プラン１００を表示部２Ｂに表示させる。【選択図】図１
2020154617.tif 000002
【特許請求の範囲】
【請求項１】
住宅の平面図の画像データおよび住宅の間取りのデータに基づいて少なくとも１つの照明設計プランを作成する照明設計データベースと通信する端末装置に組み込まれたコンピュータに、
操作部に第１の所定の操作がなされたことに基づいて撮像部が取得した前記住宅の平面図の画像データまたは前記操作部としてのタッチパネルを利用して描かれた前記住宅の図面の画像データを記憶部に記憶させるステップと、
前記操作部に第２の所定の操作がなされたことに基づいて前記住宅の間取りのデータを記憶部に記憶させるステップと、
前記記憶部に記憶された前記住宅の平面図の画像データおよび前記住宅の間取りのデータを前記照明設計データベースへ通信部に送信させるステップと、
前記照明設計データベースから送信されてきた前記少なくとも１つの照明設計プランを表示部に表示させるステップと、を実行させる、照明設計プラン提示プログラム。
【請求項２】
住宅の平面図の画像データおよび住宅の間取りのデータに基づいて少なくとも１つの照明設計プランを作成する照明設計データベースと通信する端末装置に組み込まれたコンピュータに、
操作部に第３の所定の操作がなされたことに基づいて前記住宅の間取りのデータが組み込まれた前記住宅の平面図の画像データを外部の機器から記憶部へ記憶させるステップと、
前記記憶部に記憶された前記住宅の間取りのデータが組み込まれた前記住宅の平面図の画像データを前記照明設計データベースへ通信部に送信させるステップと、
前記照明設計データベースから送信されてきた前記少なくとも１つの照明設計プランを表示部に表示させるステップと、を実行させる、照明設計プラン提示プログラム。
【請求項３】
前記コンピュータに、
前記操作部に第４の所定の操作がなされたことに基づいて、前記表示部に表示された前記少なくとも１つの照明設計プランのうちからいずれか１つの照明設計プランを実際の照明設計プランとして決定させるステップと、
前記実際の照明設計プランを前記照明設計データベースへ前記通信部に送信させるステップと、をさらに実行させる、照明設計プラン提示プログラムであって、
前記照明設計データベースは、前記実際の少なくとも１つの照明設計プランを一群の過去の照明設計プランのうちの１つとして記憶する、請求項１または２に記載の照明設計プラン提示プログラム。
【請求項４】
前記少なくとも１つの照明設計プランのそれぞれは、少なくとも１つの照明器具の設置位置が含まれた前記住宅の平面図と、前記少なくとも１つの照明器具のカタログと、を含む、請求項１〜３のいずれかに記載の照明設計プラン提示プログラム。
【請求項５】
前記コンピュータに、
前記表示するステップにおいて、前記少なくとも１つの照明器具の設置位置と前記少なくとも１つの照明器具のカタログとの互いの対応関係が把握され得る態様で、前記少なくとも１つの照明器具の設置位置と前記少なくとも１つの照明器具のカタログを前記表示部に同時に表示させる、請求項４に記載の照明設計プラン提示プログラム。
【請求項６】
前記表示部と前記操作部とは互いに一体化されたタッチパネルによって構成されており、
前記コンピュータは、前記タッチパネルの表面上の前記少なくとも１つの照明器具の設置位置のいずれか１つの照明器具の設置位置がタッチされると、前記いずれか１つの照明器具の設置位置に設置される照明器具のカタログを前記タッチパネルに表示させる、請求項４または５に記載の照明設計プラン提示プログラム。
【請求項７】
前記タッチパネルに表示されている前記少なくとも１つの照明器具のカタログのそれぞれがスワイプされると、
前記コンピュータは、前記少なくとも１つの照明器具のカタログのそれぞれを他の照明器具のカタログに切り替えて前記タッチパネルに表示させる、請求項６に記載の照明設計プラン提示プログラム。
【請求項８】
前記少なくとも１つの照明器具のそれぞれのカタログは、前記少なくとも１つの照明器具のそれぞれの外観の画像データ、照明器具のタイプ、光の色温度のデータ、照度のデータ、調光可能か否かを示すデータ、調色可能か否かを示すデータ、設置部屋名、設置部位名、消費電力、品番、および価格の少なくともいずれか１つを含む、請求項４〜７のいずれかに記載の照明設計プラン提示プログラム。
【請求項９】
前記照明設計データベースは、
一群の過去の住宅の平面図の画像データおよび前記一群の過去の住宅の平面図の画像データにそれぞれ対応する一群の過去の住宅の間取りのデータを互いに関連付けて予め記憶しており、
前記住宅の平面図の画像データおよび前記住宅の間取りのデータを受信した場合には、前記一群の過去の住宅の平面図の画像データおよび前記一群の過去の住宅の間取りのデータに基づいて前記少なくとも１つの照明設計プランを作成する、請求項１〜８のいずれかに記載の照明設計プラン提示プログラム。
【請求項１０】
前記コンピュータに、
前記操作部に第５の所定の操作がなされたことに基づいて前記記憶部へ家族構成のデータを記憶させるステップと、
前記家族構成のデータを前記住宅の平面図の画像データおよび前記住宅の間取りのデータとともに前記照明設計データベースに前記通信部に送信させるステップと、をさらに実行させる、照明設計プラン提示プログラムであって、
前記照明設計データベースは、
一群の過去の住宅の平面図の画像データ、前記一群の過去の住宅の平面図の画像データにそれぞれ対応する一群の過去の住宅の間取りのデータ、および前記一群の過去の住宅の平面図の画像データにそれぞれ対応する一群の過去の家族構成のデータを互いに関連付けて予め記憶しており、
前記住宅の平面図の画像データ、前記住宅の間取りのデータ、および前記家族構成のデータを受信した場合には、前記一群の過去の住宅の平面図の画像データ、前記一群の過去の住宅の間取りのデータ、および前記一群の過去の家族構成のデータに基づいて前記少なくとも１つの照明設計プランを作成する、請求項１〜８のいずれかに記載の照明設計プラン提示プログラム。
【請求項１１】
前記コンピュータに、
前記操作部に第６の所定の操作がなされたことに基づいて前記記憶部へキーワードのデータを記憶させるステップと、
前記キーワードのデータを前記住宅の平面図の画像データおよび前記住宅の間取りのデータとともに前記照明設計データベースに送信するステップと、をさらに実行させる、照明設計プラン提示プログラムであって、
前記照明設計データベースは、
一群の過去の住宅の平面図の画像データ、一群の過去の住宅の平面図の画像データにそれぞれ対応する過去の住宅の間取りのデータ、および一群の過去の住宅の平面図の画像データにそれぞれ対応する一群の過去のキーワードのデータを互いに関連付けて予め記憶しており、
前記住宅の平面図の画像データ、前記住宅の間取りのデータ、および前記キーワードのデータを受信した場合には、前記一群の過去の住宅の平面図の画像データ、前記一群の過去の住宅の間取りのデータ、および前記一群の過去のキーワードのデータに基づいて前記少なくとも１つの照明設計プランを作成する、請求項１〜１０のいずれかに記載の照明設計プラン提示プログラム。
【請求項１２】
前記住宅の間取りは、数字とアルファベットとの組合せで表示される記号に加えて、住宅の向き、住宅の平面図における面積、和室洋室の区別、およびテレビ配線のプラグが差し込まれるプラグソケットの位置の少なくともいずれか１つを含む、請求項１〜１１のいずれかに記載の照明設計プラン提示プログラム。
【発明の詳細な説明】
【技術分野】
【０００１】
本開示は、照明設計プラン提示プログラムに関する。
【背景技術】
【０００２】
従来から、住宅の照明器具の設計の場面においては、住宅の平面図に少なくとも１つの照明器具のそれぞれを配置した照明設計プランを顧客に提示することが行われている。従来の照明設計プランの作成においては、照明設計者が、紙のカタログにプリントされた一群の照明器具から使用する数個の照明器具を選択し、その選択された数個の照明器具のコピーを紙の平面図の上に貼り付けている。その後、顧客が、数個の照明器具が貼り付けられた平面図を見て、そのような数個の照明器具の配置に問題がないかどうか、あるいは、選択された数個の照明器具のうちのいずれかの照明器具を変更するか否かを検討している。
【先行技術文献】
【特許文献】
【０００３】
【特許文献１】特開２００２−３３４１１９号公報
【発明の概要】
【発明が解決しようとする課題】
【０００４】
上記した従来の住宅の照明設計プランの作成手法によれば、紙の平面図の上に照明器具のカタログのコピーを貼り付けるため、照明設計プランの作成作業にかなりの時間を必要とする。つまり、照明設計プランを顧客に迅速に提示することができない。
【０００５】
本開示は、このような従来技術の有する課題に鑑みてなされたものである。そして、本開示の目的は、照明設計プランを顧客に迅速に提示することができる照明設計プラン提示プログラムを提供することである。
【課題を解決するための手段】
【０００６】
上記課題を解決するために、本開示の第１の態様に係る照明設計プラン提示プログラムは、住宅の平面図の画像データおよび住宅の間取りのデータに基づいて少なくとも１つの照明設計プランを作成する照明設計データベースと通信する端末装置に組み込まれたコンピュータに、操作部に第１の所定の操作がなされたことに基づいて撮像部が取得した前記住宅の平面図の画像データまたは前記操作部としてのタッチパネルを利用して描かれた前記住宅の図面の画像データを記憶部に記憶させるステップと、前記操作部に第２の所定の操作がなされたことに基づいて前記住宅の間取りのデータを記憶部に記憶させるステップと、前記記憶部に記憶された前記住宅の平面図の画像データおよび前記住宅の間取りのデータを前記照明設計データベースへ通信部に送信させるステップと、前記照明設計データベースから送信されてきた前記少なくとも１つの照明設計プランを表示部に表示させるステップと、を実行させる。
【０００７】
本開示の第２の態様に係る照明設計プラン提示プログラムは、住宅の平面図の画像データおよび住宅の間取りのデータに基づいて少なくとも１つの照明設計プランを作成する照明設計データベースと通信する端末装置に組み込まれたコンピュータに、操作部に第３の所定の操作がなされたことに基づいて前記住宅の間取りのデータが組み込まれた前記住宅の平面図の画像データを外部の機器から記憶部へ記憶させるステップと、前記記憶部に記憶された前記住宅の間取りのデータが組み込まれた前記住宅の平面図の画像データを前記照明設計データベースへ通信部に送信させるステップと、前記照明設計データベースから送信されてきた前記少なくとも１つの照明設計プランを表示部に表示させるステップと、を実行させる。
【発明の効果】
【０００８】
本開示によれば、照明設計プランを顧客に迅速に提示することができる。
【図面の簡単な説明】
【０００９】
【図１】実施の形態の照明設計システムの全体構成を説明するための模式図である。
【図２】実施の形態の照明設計システムの照明設計データベースに蓄積されているデータを説明するための模式図である。
【図３】実施の形態の照明設計システムの端末装置において、住宅の平面図の画像データが、操作部の操作によって撮像部から記憶部へ記憶された後、表示部に表示されている状態を示す図である。
【図４】実施の形態の照明設計システムの端末装置において、住宅の間取りのデータが、操作部の操作によって記憶部に記憶された後、表示部に表示されている状態を示す図である。
【図５】実施の形態の照明設計システムの端末装置において、家族構成のデータが、操作部の操作によって記憶部に記憶された後、表示部に表示されている状態を示す図である。
【図６】実施の形態の照明設計システムの端末装置において、キーワードのデータが、操作部の操作によって記憶部に記憶された後、表示部に表示されている状態を示す図である。
【図７】実施の形態の照明設計システムにおいて照明設計データベースから端末装置へ送信され、端末装置の表示部に表示されている照明設計プランの一例を示す図である。
【図８】実施の形態の照明設計システムにおいて照明設計データベースから端末装置へ送信され、端末装置の表示部に表示されている照明器具の一例を示す図である。
【図９】実施の形態の照明設計システムにおいて照明設計データベースから端末装置へ送信され、端末装置の表示部に表示されている照明器具の他の一例を示す図である。
【図１０】実施の形態の照明設計システムの端末装置にインストールされた照明設計プラン提示プログラムによって実行される照明設計プラン処理を説明するための第１のフローチャートである。
【図１１】実施の形態の照明設計システムの端末装置にインストールされた照明設計プラン提示プログラムによって実行される照明設計プラン処理を説明するための第２のフローチャートである。
【発明を実施するための形態】
【００１０】
以下、図面を参照しながら、実施の形態の照明設計プラン提示プログラムによって実行される照明設計プランの作成方法および提示方法を説明する。複数の図面同士の間において、同一の参照符号が付された部分同士は、図面上における形状に多少の相違があっても、特段の記載がない限り、互いに同一の機能を発揮するものとする。
【００１１】
図１に示されるように、実施の形態の照明設計システム１１１０は、照明設計データベースＤＢ１と照明設計データベースＤＢ１と通信する端末装置１０とを備えている。照明設計データベースＤＢ１は、一群の過去の照明設計プラン１０００（図７参照）を記憶している。
【００１２】
端末装置１０は、照明設計データベースＤＢ１から一群の過去の照明設計プラン１０００の中から選択された少なくとも１つの照明設計プラン１００を受信する。本実施の形態の端末装置１０は、ｉＰａｄ（登録商標）に代表されるようなタブレット型の端末装置であるものとする。ただし、端末装置１０は、たとえば、ｉＰｈｏｎｅ（登録商標）等に大業されるスマートフォンであってもよいし、また、デスクトップ型もしくはノートブック型のパーソナルコンピュータ等であってもよい。
【００１３】
端末装置１０は、紙ＰＡに描かれた住宅の平面図１００Ａの画像データを取得可能なカメラ等を含む撮像部１を備えている。撮像部１によって取得された住宅の平面図１００Ａの画像データは、制御部（コンピュータ３）を経由して記憶部４に記憶される。
【００１４】
端末装置１０は、人が指で触れることによりコンピュータ３に情報を入力するための操作部２Ａおよび住宅の平面図１００Ａの画像データを表示する表示部２Ｂ（図３参照）との双方の機能を有するタッチパネル２を備えている。端末装置１０は、照明設計データベースＤＢ１等の外部通信装置へデータを送信し、外部通信装置からデータを受信する通信部５を備えている。
【００１５】
また、端末装置１０は、照明設計プラン提示プログラムＰを記録している記録媒体Ｒからインストールされた照明設計プラン提示プログラムＰを記憶している記憶部４を備えている。記憶部４は、サーバＳまたはＵＳＢ（Universal Serial Bus）メモリ等のメモリＭからインストールされた住宅の間取りＦＰ（図４参照）のデータが組み込まれた住宅の平面図１００Ａを記憶している場合もある。
【００１６】
端末装置１０は、撮像部１、表示部２Ｂ、記憶部４、および通信部５を操作部２Ａの操作に基づいて制御する制御部（コンピュータ３）を備えている。コンピュータ３は、照明設計プラン提示プログラムＰにしたがって後述される各ステップを実行する、いわゆるマイクロコンピュータと呼ばれるものである。
【００１７】
図２に示されるように、照明設計データベースＤＢ１は、次のデータ（ａ）〜（ｅ）を互いに関連付けて予め記憶している。
【００１８】
（ａ）  少なくとも１つの照明器具Ｌ（図８、図９参照）が設置位置を含む一群の過去の住宅の平面図１００Ａの画像データ（図３参照）
（ｂ）一群の過去の住宅の平面図１００Ａの画像データにそれぞれ対応する過去の住宅の間取りＦＰのデータ（図４参照）
（ｃ）  一群の過去の住宅の平面図１００Ａの画像データにそれぞれ対応する過去の家族構成Ｆのデータ（図５参照）
（ｄ）  一群の過去の住宅の平面図１００Ａの画像データにそれぞれ対応する一群の過去のキーワードＫのデータ（図６参照）
（ｅ）  少なくとも１つの照明器具Ｌの画像データおよびその他のデータ（図８、図９参照）
なお、照明設計データベースＤＢ１に記憶された照明器具Ｌの画像データおよびその他のデータのうち、価格等の時間の経過とともに変動するデータは、照明器具データベースＤＢ２との自動的な通信によって変動するごとに更新されている。
【００１９】
つまり、照明設計データベースＤＢ１は、上記した（ａ）〜（ｅ）に記載の一具の過去のデータを含む一群の過去の照明設計プラン１０００を記憶している。
【００２０】
照明設計データベースＤＢ１は、少なくとも１つの照明設計プラン１００を作成するときには、端末装置１０から、住宅の平面図１００Ａの画像データ、住宅の間取りＦＰのデータ、家族構成Ｆのデータ、およびキーワードＫのデータを受信する。
【００２１】
その後、照明設計データベースＤＢ１は、少なくとも１つの照明設計プラン１００（図７参照）を作成する。このとき、少なくとも１つの照明設計プラン１００は、一群の過去の住宅の平面図１００Ａの画像データ、一群の過去の住宅の間取りＦＰのデータ、一群の過去の家族構成Ｆのデータ、および一群の過去のキーワードＫのデータに基づいて作成される。
【００２２】
これによれば、照明設計データベースＤＢ１で一群の過去の照明設計プランを用いて、少なくとも１つの照明設計プラン１００を容易に作成できるため、少なくとも１つの照明設計プラン１００を迅速に提示することができる。少なくとも１つの照明設計プラン１００の具体的な作成方法は後に述べられる。
【００２３】
上記の構成によれば、住宅の平面図１００Ａおよび住宅の間取りＦＰだけでなく、家族構成ＦおよびキーワードＫも考慮して、少なくとも１つの照明設計プラン１００（図７参照）を顧客に提示することができる。
【００２４】
ただし、上述の（ｃ）のデータおよび上述の（ｄ）のデータは、必須の構成ではなく、必要に応じて使用されるデータである。つまり、上述の（ｃ）のデータおよび上述の（ｄ）のデータが端末装置１０から送信されてこない場合には、照明設計データベースＤＢ１は、上述の（ａ）のデータおよび上述の（ｂ）のデータのみから少なくとも１つの照明設計プラン１００を作成する。
【００２５】
本実施の形態においては、図３に示されるように、照明設計プラン提示プログラムＰは、まず、コンピュータ３に、操作部２Ａに第１の所定の操作がなされたことに基づいて撮像部１が取得した住宅の平面図１００Ａの画像データを記憶部４に記憶させる。第１の所定の操作は、たとえば、タブレット型の端末装置または携帯電話付きの端末装置に備えられたカメラ機能を使用するときの操作である。なお、コンピュータ３は、撮像部１が取得した住宅の平面図１００Ａの画像データを記憶部４に記憶させる代わりに、前述の操作部２Ａとしてのタッチパネル２を利用して描かれた住宅の平面図１００Ａの画像データを記憶部４に記憶させてもよい。この場合、タッチペン等によってタッチパネル２上に住宅の平面図１００Ａの形状を描くことによって住宅の平面図１００Ａの画像データが作成されてもよい。この場合、照明設計プラン提示プログラムＰは、タッチパネル２を利用して住宅の平面図１００Ａを描くことができるようにコンピュータ３を動作させる。
【００２６】
次に、図４に示されるように、照明設計プラン提示プログラムＰは、コンピュータ３に、操作部２Ａに第２の所定の操作がなされたことに基づいて住宅の間取りＦＰのデータを記憶部４に記憶させる。第２の所定の操作は、たとえば、タッチパネル２に表示される画像キーボードを用いたデータ入力のための操作である。
【００２７】
本明細書においては、住宅の間取りＦＰは、数字とアルファベットとの組合せで表示される記号に加えて、住宅の向き、住宅の平面図における占有面積、および和室洋室の区別等を含んでいる。たとえば、数字とアルファベットとの組合せのうち、数字は、居室の数を意味し、アルファベットＬは、リビングルームを意味し、アルファベットＫは、キッチンを意味する。そのため、住宅の平面図１００Ａのデータに近い過去の住宅の平面図１００Ａを利用して照明設計プラン１００を作成することが容易になる。なお、住宅の間取りＦＰは、テレビジョンの配置が照明設計プラン１００に大きな影響を与えるため、テレビ配線のプラグが差し込まれるプラグソケットの位置も含んでいることが好ましい。
【００２８】
ただし、照明設計プラン提示プログラムＰは、撮像部１を利用することなく、コンピュータ３に、住宅の間取りＦＰのデータが組み込まれた住宅の平面図１００ＡをサーバＳまたはメモリＭを読み込み、記憶部４へ記憶させる場合がある。この場合、まず、図１に示される操作部２Ａに第３の所定の操作がなされる。第３の操作は、たとえば、タッチパネル２の画像キーボードを用いて、サーバＳまたはメモリＭからデータを読み込むための操作である。
【００２９】
これにより、照明設計プラン提示プログラムＰは、コンピュータ３に、住宅の間取りＦＰのデータが組み込まれた住宅の平面図１００Ａの画像データを外部の機器の一例としてのサーバＳまたはメモリＭから記憶部４へ記憶させる。この場合の住宅の平面図１００Ａの画像データは、たとえば、イラストレータ等の図面作成ソフトを利用して作成された書き換え可能な形式のデータであってもよい。また、この場合の住宅の平面図１００Ａの画像データは、紙面に描かれた住宅の平面図１００Ａがスキャナのスキャン動作によって取得されたＰＤＦまたはＧＩＦ等の形式のイメージデータであってもよい。要するに、住宅の間取りＦＰのデータと住宅の平面図１００Ａの画像データとが一体化されたものであれば、住宅の平面図１００Ａの画像データの形式はいかなるものであってもよい。
【００３０】
この場合、照明設計プラン提示プログラムＰは、コンピュータ３を動作させることにより、記憶部４に記憶された住宅の間取りＦＰのデータが組み込まれた住宅の平面図１００Ａの画像データを照明設計データベースＤＢ１へ通信部５に送信させる。
【００３１】
前述のように、住宅の間取りＦＰのデータが組み込まれた住宅の平面図１００Ａの画像データを用いても、住宅の少なくとも１つの照明設計プラン１００を迅速に顧客に提示することができる。なお、この場合、照明設計プラン提示プログラムＰは、コンピュータ３に、住宅の間取りＦＰのデータを操作部２Ａの操作によって記憶部４へ記憶させる操作を実行する必要性はない。
【００３２】
次に、図５に示されるように、コンピュータ３は、操作部２Ａに第５の所定の操作がなされたことに基づいて記憶部４へ家族構成Ｆのデータを記憶させる。第５の所定の操作は、たとえば、タッチパネル２に表示される画像キーボードを用いたデータ入力操作である。その後、コンピュータ３は、家族構成Ｆのデータを住宅の平面図１００Ａの画像データおよび住宅の間取りＦＰのデータとともに照明設計データベースＤＢ１に通信部５に送信させる。
【００３３】
家族構成Ｆのデータは、性別および年代の区別を識別可能な態様、たとえば、４０才〜５９才の男性一人、２０〜３９才の男性一人、４０〜５９才の女性一人等を把握し得る情報を含んでいる。
【００３４】
コンピュータ３は、操作部２Ａに第６の所定の操作がなされたことに基づいて記憶部４へキーワードＫのデータを記憶させる。第６の所定の操作は、たとえば、タッチパネル２に表示される画像キーボードを用いたデータ入力のための操作である。
【００３５】
その後、コンピュータ３は、記憶部４に記憶された住宅の平面図１００Ａの画像データ、住宅の間取りＦＰのデータ、家族構成Ｆのデータ、およびキーワードＫのデータを照明設計データベースＤＢ１へ通信部５に送信させる。キーワードＫは、たとえば、ラグジュアリ、シンプル、モダン、またはライト等の照明器具の雰囲気を表現する文言である。
【００３６】
その後、図７に示されるように、コンピュータ３は、照明設計データベースＤＢ１から送信されてきた少なくとも１つの照明設計プラン１００を表示部２Ｂに表示させる。
【００３７】
このような照明設計プラン提示プログラムＰによれば、少なくとも１つの照明設計プラン１００を迅速に顧客に提示することができる。
【００３８】
図７に示されるように、少なくとも１つの照明設計プラン１００のそれぞれは、少なくとも１つの照明器具Ｌ１〜Ｌ１１の設置位置が含まれた住宅の平面図１００Ａと、少なくとも１つの照明器具Ｌ１〜Ｌ１１のカタログ１００Ｂと、を含んでいる。そのため、紙ＰＡの図面上での照明設計プラン１００の提示と同様の提示を表示部２Ｂの表面上で行うことができる。
【００３９】
図７に示されるように、コンピュータ３は、少なくとも１つの照明器具Ｌ１〜Ｌ１１の設置位置と少なくとも１つの照明器具Ｌ１〜Ｌ１１のカタログ１００Ｂとを表示部２Ｂに同時に表示させる。本実施の形態においては、照明器具Ｌ１〜Ｌ１１の設置位置と照明器具Ｌ１〜Ｌ１１のカタログ１００Ｂとが直線で結ばれている。それにより、少なくとも１つの照明器具Ｌ１〜Ｌ１１の設置位置と少なくとも１つの照明器具Ｌ１〜Ｌ１１のカタログ１００Ｂとの互いの対応関係を容易に把握することができる。ただし、少なくとも１つの照明器具Ｌ１〜Ｌ１１の設置位置と少なくとも１つの照明器具Ｌ１〜Ｌ１１のカタログ１００Ｂとの互いの対応関係は、色分けで表現する等、いかなる態様によって表現されていてもよい。
【００４０】
表示部２Ｂと操作部２Ａとは互いに一体化されたタッチパネル２によって構成されている。タッチパネル２の表面上の前述の少なくとも１つの照明器具の設置位置のいずれか１つの設置位置が操作者の指でタッチされる場合がある。この場合、コンピュータ３は、いずれか１つの照明器具の設置位置に設置される照明器具Ｌ１〜Ｌ１１のカタログ１００Ｂをタッチパネル２に表示させる。このとき、図８および図９に示されるように、コンピュータ３は、設置位置に設置される照明器具Ｌ１〜Ｌ１１のカタログ１００Ｂのいずれか１つを表示部２Ｂの画面全体に拡大表示する。
【００４１】
また、タッチパネル２に表示されている少なくとも１つの照明器具Ｌ１〜Ｌ１１のカタログ１００Ｂのそれぞれが操作者の指によって矢印で示される方向にスワイプされる場合がある。この場合に、コンピュータ３は、少なくとも１つの照明器具Ｌ１〜Ｌ１１のカタログ１００Ｂのそれぞれを他の照明器具のカタログ（図示せず）に切り替えてタッチパネル２に表示させる。そのため、照明器具Ｌ１〜Ｌ１１のそれぞれの代替案を迅速に提示することができる。
【００４２】
図７〜図９に示されるように、少なくとも１つの照明器具Ｌ１〜Ｌ１１のそれぞれのカタログ１００Ｂは、少なくとも１つの照明器具Ｌ１〜Ｌ１１のそれぞれの外観の画像データおよび照明器具Ｌ１〜Ｌ１１のタイプを含んでいる。照明器具のタイプとは、シーリングライトやダウンライト等の用途および機能を示すものである。また、少なくとも１つの照明器具Ｌ１〜Ｌ１１のそれぞれのカタログ１００Ｂは、少なくとも１つの照明器具Ｌ１〜Ｌ１１のそれぞれの光の色温度のデータ照度のデータ、調光可能か否かを示すデータ、および調色可能か否かを示すデータを含んでいる。
【００４３】
図７〜図９に示されるように、少なくとも１つの照明器具Ｌ１〜Ｌ１１のそれぞれのカタログ１００Ｂは、少なくとも１つの照明器具Ｌ１〜Ｌ１１のそれぞれの設置部屋名、設置部位名、消費電力、キーワード、品番、および価格の少なくともいずれか１つを含んでいる。そのため、紙ＰＡの照明器具Ｌ１〜Ｌ１１のカタログ１００Ｂと同様のカタログ１００Ｂを表示部２Ｂの表面上で提示することができる。
【００４４】
操作部２Ａに第４の所定の操作がなされる。第４の所定の操作は、たとえば、タッチパネル２に表示される「決定」アイコンのタッチ操作である。このタッチ操作に基づいて、照明設計プラン提示プログラムＰは、コンピュータ３に、表示部２Ｂに表示された少なくとも１つの照明設計プラン１００のうちからいずれか１つの照明設計プラン１００を実際の照明設計プラン１００として決定させる。その後、照明設計プラン提示プログラムＰは、コンピュータ３に、決定された実際の照明設計プラン１００を照明設計データベースＤＢ１へ通信部５に送信させる。
【００４５】
照明設計データベースＤＢ１は、端末装置１０から送信されてきた実際の少なくとも１つの照明設計プラン１００を受信すると、その実際の少なくとも１つの照明設計プラン１００を一群の過去の照明設計プラン１０００のうちの一例として記憶する。そのため、照明設計データベースＤＢ１に蓄積される一群の過去の照明設計プラン１０００の豊富化を簡単に行うことができる。
【００４６】
図１０および図１１を用いて、実施の形態の照明設計システム１１１０の端末装置１０にインストールされた照明設計プラン提示プログラムＰによって実行される照明設計処理を説明する。
【００４７】
ステップＳ１においては、コンピュータ３は、端末装置１０の照明設計プラン提示プログラムＰが起動しているか否かを判定する。ステップＳ１において、端末装置１０の照明設計プラン提示プログラムＰが起動していなければ、コンピュータ３は、操作部２Ａの操作によって、照明設計プラン提示プログラムＰが起動させられるまで待機する。
【００４８】
ステップＳ１において、端末装置１０の照明設計プラン提示プログラムＰが起動していれば、ステップＳ２において、コンピュータ３は、表示部２Ｂに図面選択画面を表示する。図面選択画面は、「1．サーバまたはメモリ」および「２．カメラ」のうちのいずれかの選択を要求する表示をしている。つまり、図面選択画面は、住宅の平面図１００Ａを端末装置１０へ読み込む方法を選択するための画面である。
【００４９】
ステップＳ３において、タッチパネル２に表示されている「１．サーバまたはメモリ」のアイコンがタッチされる場合がある。この場合、端末装置１０がサーバＳまたはメモリＭから住宅の間取りＦＰのデータが組み込まれた住宅の平面図１００Ａの画像データを記憶部４へ記憶させることが可能な状態になる。その後、ステップＳ４において、コンピュータ３は、住宅の間取りＦＰが組み込まれた住宅の平面図１００Ａの画像データが記憶部４に存在するか否かを判定する。
【００５０】
ステップＳ４において、住宅の間取りＦＰが組み込まれた住宅の平面図１００Ａの画像データが記憶部４に存在していないと判定された場合には、コンピュータ３は、そのまま待機する。この場合、コンピュータ３は、タッチパネル２にサーバＳまたはメモリＭから住宅の間取りＦＰが組み込まれた住宅の平面図１００Ａの画像データを端末装置１０へ読み込むための操作を端末装置１０の使用者に促す表示（図示せず）をする。一方、ステップＳ４において、住宅の平面図１００Ａの画像データが記憶部４に存在していると判定されれば、コンピュータ３は、ステップＳ８の処理を実行する。
【００５１】
ステップＳ３において、タッチパネル２に表示されている「２.カメラ」のアイコンがタッチされる場合がある。この場合、コンピュータ３は、撮像部１（カメラ）によって取得された紙ＰＡの上に描かれた住宅の平面図１００Ａの画像データを記憶部４へ記憶させることが可能な状態になる。その後、ステップＳ５において、コンピュータ３は、撮像部１（カメラ）によって取得された紙ＰＡの上に描かれた住宅の平面図１００Ａの画像データが記憶部４に存在しているか否かを判定する。ただし、ステップＳ３において、「２.カメラ」の代わりに、「２.  タッチパネル」が表示されてもよい。「２．タッチパネル」のアイコンがタッチされた場合、ステップＳ５において、コンピュータ３は、前述の操作部２Ａとしてのタッチパネル２を利用して描かれた住宅の平面図１００Ａの画像データが記憶部４に記憶されているか否かを判定する。この場合、ユーザがタッチパネル２にタッチペンまたは指等で住宅の平面図１００Ａを描くことにより、コンピュータ３は、記憶部４に住宅の平面図１００Ａを記憶させる。
【００５２】
ステップＳ５においては、撮像部１（カメラ）によって取得された紙ＰＡの上に描かれた住宅の平面図１００Ａの画像データが記憶部４に存在していないと判定された場合には、コンピュータ３は、そのまま待機する。この場合、コンピュータ３は、タッチパネル２に撮像部１（カメラ）によって取得された紙ＰＡの上に描かれた住宅の平面図１００Ａの画像データを端末装置１０へ読み込むことを促す画像（図示せず）を表示する。一方、ステップＳ５において、撮像部１（カメラ）によって取得された紙ＰＡの上に描かれた住宅の平面図１００Ａの画像データが記憶部４に存在していると判定されれば、コンピュータ３は、ステップＳ６の処理を実行する。
【００５３】
ステップＳ６においては、コンピュータ３は、住宅の間取りＦＰのデータを入力するための間取り入力画面をタッチパネル２に表示させる。住宅の間取りＦＰのデータの入力画面（図４参照）が表示されている表示部２Ｂとしてのタッチパネル２が操作部２Ａとして操作される。それにより、住宅の間取りＦＰのデータ、たとえば、３ＬＤＫ、南向き、６８ｍ２〜７８ｍ２、および和室１室／洋室２室等のデータが記憶部４に記憶される。
【００５４】
ステップＳ７においては、住宅の間取りＦＰのデータが操作部２Ａを利用して記憶部４に入力されるまで、コンピュータ３は待機する。一方、ステップＳ７においては、住宅の間取りＦＰのデータが操作部２Ａを利用して記憶部４に入力されると、コンピュータ３は、ステップＳ８の処理を実行する。
【００５５】
ステップＳ８においては、コンピュータ３は、家族構成Ｆのデータを入力するための家族構成入力画面をタッチパネル２に表示させる。家族構成Ｆのデータの入力画面（図５参照）が表示されている表示部２Ｂとしてのタッチパネル２が操作部２Ａとして操作される。それにより、家族構成Ｆのデータ、たとえば、４０才〜５９才の男性一人、２０才〜３９才の男性一人、および４０〜５９才の女性一人等が記憶部４に記憶される。
【００５６】
ステップＳ９においては、家族構成Ｆのデータが操作部２Ａを利用して記憶部４に入力されるまで、コンピュータ３は待機する。一方、ステップＳ９においては、家族構成Ｆのデータが操作部２Ａを利用して記憶部４に入力されると、コンピュータ３は、ステップＳ１０の処理を実行する。
【００５７】
ステップＳ１０においては、コンピュータ３は、キーワードＫのデータを入力するためのキーワード入力画面をタッチパネル２に表示させる。キーワードＫのデータの入力画面（図６参照）が表示されている表示部２Ｂとしてのタッチパネル２が操作部２Ａとして操作される。それにより、キーワードＫのデータ、たとえばラグジュアリ、シンプル、またはライト等の照明器具の雰囲気を表現する文言である。
【００５８】
ステップＳ１１において、キーワードＫのデータが操作部２Ａを利用して記憶部４に入力されるまで、コンピュータ３は待機する。一方、ステップＳ１１において、キーワードＫのデータが操作部２Ａを利用して記憶部４に入力されると、コンピュータ３は、ステップＳ１２の処理を実行する。
【００５９】
ステップＳ１２においては、端末装置１０のコンピュータ３は、記憶部４に記憶されている住宅の平面図１００Ａのデータ、住宅の間取りＦＰのデータ、家族構成Ｆのデータ、およびキーワードＫを照明設計データベースＤＢ１へ送信する。
【００６０】
照明設計データベースＤＢ１においては、端末装置１０から送信されてきた住宅の平面図１００Ａのデータ、住宅の間取りＦＰのデータ、家族構成Ｆのデータ、およびキーワードＫを受信する。それにより、照明設計データベースＤＢ１は、一群の過去の住宅の平面図の画像データ、一群の過去の住宅の間取りのデータ、一群の過去の家族構成のデータ、および一群の過去のキーワードに基づいて、少なくとも１つの照明設計プラン１００を作成する。照明設計プラン１００の一例が図７に示されている。
【００６１】
照明設計データベースＤＢ１は、一群の過去の住宅の間取りのデータの中から照明設計の対象である住宅の間取りＦＰのデータと一致している過去の住宅の間取りのデータを検索する。また、照明設計データベースＤＢ１は、一群の過去の家族構成のデータの中から照明設計の対象である住宅の家族構成Ｆのデータと一致する過去の家族構成のデータを検索する。さらに、照明設計データベースＤＢ１は、一群の過去のキーワードの中から照明設計の対象である住宅のキーワードＫと一致する過去のキーワードを検索する。
【００６２】
住宅の間取りＦＰのデータ、家族構成Ｆのデータ、およびキーワードＫのデータの全てが一致する過去の住宅の平面図の画像データに配置されている少なくとも１つの照明器具のデータを抽出する。照明設計データベースＤＢ１は、抽出された少なくとも１つの照明器具のデータを、端末装置１０から送信されてきた住宅の図面のデータに配置する。これにより、少なくとも１つの照明設計プラン１００（図７参照）が作成される。
【００６３】
その後、照明設計データベースＤＢ１は、作成された少なくとも１つの照明設計プラン１００（図７参照）を端末装置１０へ送信する。その後、ステップＳ１３において、端末装置１０のコンピュータ３は、タッチパネル２に少なくとも１つの照明設計プラン１００のうちの１つを表示させる。この場合、少なくとも１つの照明設計プラン１００に優先順が付されており、優先順位が高いものから順にタッチパネル２に表示されてもよい。タッチパネル２には１つの照明設計プラン１００とともに、「決定」という文字のアイコンが表示されている（図７参照）。
【００６４】
ステップＳ１４において、タッチパネル２の表面上の「決定」というアイコンがタッチされなければ、コンピュータ３は、ステップＳ１５の処理を実行する。ステップＳ１５においては、コンピュータ３は、図７においてタッチパネル２に表示されている照明器具Ｌ１〜Ｌ１１の画像データのうちのいずれかがタッチされたか否かを判定する。つまり、コンピュータ３は、図７に示される照明器具Ｌ１〜Ｌ１１の画像データのうちのいずれかが変更位置の照明器具としてタッチされたか否かを判定する。
【００６５】
図７に示される照明器具Ｌ１〜Ｌ１１の画像データのうちのいずれかがタッチされると、コンピュータ３は、ステップＳ１６において、図８および図９に示されるように、そのタッチされた照明器具をタッチパネル２の画面全体に拡大して表示する。拡大して表示された照明器具は、図８および図９に示されるタッチパネル２の矢印の方向へのスワイプにより、代替案の照明器具（図示ぜず）に変更される。コンピュータ３は、拡大して表示されている照明器具とともに、「決定」という文字のアイコンを表示部２Ｂに表示させている。
【００６６】
その後、ステップＳ１７において、コンピュータ３は、変更した設置位置の照明器具が決定されたか否かを判定する。図８および図９に示される「決定」という文字のアイコンがタッチされなければ、コンピュータ３はその状態で待機する。一方、図８および図９に示される「決定」という文字のアイコンがタッチされれば、コンピュータ３は、その設置位置の照明器具が「決定」という文字のアイコンとともにタッチパネル２に表示されている照明器具に決定されたと判断してステップＳ１４の処理を実行する。
【００６７】
一方、ステップＳ１４において、端末装置１０のコンピュータ３は、タッチパネル２の表面上に照明設計プラン１００とともに表示されている「決定」というアイコン（図７参照）がタッチされたか否かを判定する。ステップＳ１４において、タッチパネル２の表面上の「決定」という操作部２Ａとしてのアイコン（図７参照）がタッチされていれば、コンピュータ３は、ステップＳ１８の処理を実行する。
【００６８】
ステップＳ１８においては、決定された照明設計プラン１００を照明設計データベースＤＢ１へ送信する。それにより、照明設計データベースＤＢ１は、端末装置１０から送信されてきた照明設計プラン１００を一群の過去の照明設計プラン１０００の一例として登録する。
【００６９】
以下、実施の形態の照明設計プラン提示プログラムＰの特徴およびそれにより得られる効果が述べられる。
【００７０】
（１）  コンピュータ３は、住宅の平面図１００Ａの画像データおよび住宅の間取りＦＰのデータに基づいて少なくとも１つの照明設計プラン１００を作成する照明設計データベースＤＢ１と通信する端末装置１０に組み込まれている。照明設計プラン提示プログラムＰは、コンピュータ３に次のステップ（ｉ）〜（ｉｖ）を実行させるためのものである。
【００７１】
（ｉ）  操作部２Ａに第１の所定の操作がなされたことに基づいて撮像部１が取得した住宅の平面図１００Ａの画像データまたは前述の操作部２Ａとしてのタッチパネル２を利用して描かれた住宅の平面図１００Ａの画像データを記憶部４に記憶させるステップ
（ｉｉ）  操作部２Ａに第２の所定の操作がなされたことに基づいて住宅の間取りＦＰのデータを記憶部４に記憶させるステップ
（ｉｉｉ）  記憶部４に記憶された住宅の平面図１００Ａの画像データおよび住宅の間取りＦＰのデータを照明設計データベースＤＢ１へ通信部５に送信させるステップ
（ｖｉ）  照明設計データベースＤＢ１から送信されてきた少なくとも１つの照明設計プラン１００を表示部２Ｂに表示させるステップ
上記の構成によれば、少なくとも１つの照明設計プラン１００を迅速に顧客に提示することができる。
【００７２】
（２）  コンピュータ３は、住宅の平面図１００Ａの画像データおよび住宅の間取りＦＰのデータに基づいて少なくとも１つの照明設計プラン１００を作成する照明設計データベースＤＢ１と通信する端末装置１０に組み込まれている。照明設計プラン提示プログラムＰは、コンピュータ３に次のステップ（Ｉ）〜（ＩＩＩ）を実行させるためのものである。
【００７３】
（Ｉ）  操作部２Ａに第３の所定の操作がなされたことに基づいて住宅の間取りＦＰのデータが組み込まれた住宅の平面図１００Ａの画像データを外部の機器から記憶部４へ記憶させるステップ
（ＩＩ）  記憶部４に記憶された住宅の間取りＦＰのデータが組み込まれた住宅の平面図１００Ａの画像データを照明設計データベースＤＢ１へ通信部５に送信させるステップ
（ＩＩＩ）  照明設計データベースＤＢ１から送信されてきた少なくとも１つの照明設計プラン１００を表示部２Ｂに表示させるステップ
上記の構成によっても、少なくとも１つの照明設計プラン１００を迅速に顧客に提示することができる。
【００７４】
（３）  照明設計プラン提示プログラムＰは、コンピュータ３に次のステップ（ｖ）〜（ｖｉ）を実行させるためのものである。
【００７５】
（ｖ）  操作部２Ａに第４の所定の操作がなされたことに基づいて、表示部２Ｂに表示された少なくとも１つの照明設計プラン１００のうちからいずれか１つの照明設計プラン１００を実際の照明設計プラン１００として決定させるステップ
（ｖｉ）  実際の照明設計プラン１００を照明設計データベースＤＢ１へ通信部５に送信させるステップ
照明設計データベースＤＢ１は、実際の少なくとも１つの照明設計プラン１００を一群の過去の照明設計プラン１０００のうちの１つとして記憶することが好ましい。
【００７６】
上記の構成によれば、照明設計データベースＤＢ１に蓄積される一群の過去の照明設計プラン１０００の豊富化を自動的に行うことができる。
【００７７】
（４）  少なくとも１つの照明設計プラン１００のそれぞれは、少なくとも１つの照明器具Ｌ１〜Ｌ１１の設置位置が含まれた住宅の平面図１００Ａと、少なくとも１つの照明器具Ｌ１〜Ｌ１１のカタログ１００Ｂと、を含んでいることが好ましい。これによれば、紙ＰＡの図面上での照明設計プラン１００の提示と同様の提示を表示部２Ｂの表面上で行うことができる。
【００７８】
（５）  照明設計プラン提示プログラムＰは、コンピュータ３に、表示するステップにおいて、少なくとも１つの照明器具Ｌ１〜Ｌ１１の設置位置と少なくとも１つの照明器具Ｌ１〜Ｌ１１のカタログ１００Ｂを表示部２Ｂに同時に表示させてもよい。この場合、少なくとも１つの照明器具Ｌ１〜Ｌ１１の設置位置と少なくとも１つの照明器具Ｌ１〜Ｌ１１のカタログ１００Ｂとの互いの対応関係が把握され得ることが好ましい。これによれば、照明器具Ｌ１〜Ｌ１１の設置位置と照明器具Ｌ１〜Ｌ１１のカタログ１００Ｂとの関係を容易に把握することができる。
【００７９】
（６）  表示部２Ｂと操作部２Ａとは互いに一体化されたタッチパネル２によって構成されていてもよい。タッチパネル２の表面上の少なくとも１つの照明器具の設置位置のいずれか１つの照明器具の設置位置がタッチされる場合がある。この場合、コンピュータ３は、いずれか１つの照明器具の設置位置に設置される照明器具Ｌ１〜Ｌ１１のカタログ１００Ｂをタッチパネル２に表示させることが好ましい。これによれば、設置位置に設置される照明器具Ｌ１〜Ｌ１１のカタログ１００Ｂを表示部２Ｂに拡大表示することができる。
【００８０】
（７）  タッチパネル２に表示されている少なくとも１つの照明器具Ｌ１〜Ｌ１１のカタログ１００Ｂのそれぞれがスワイプされる場合がある。この場合に、コンピュータ３は、少なくとも１つの照明器具Ｌ１〜Ｌ１１のカタログ１００Ｂのそれぞれを他の照明器具のカタログに切り替えてタッチパネル２に表示させてもよい。これによれば、照明器具Ｌ１〜Ｌ１１の代替案の照明器具を迅速に提示することができる。
【００８１】
（８）  少なくとも１つの照明器具Ｌ１〜Ｌ１１のそれぞれのカタログ１００Ｂは、少なくとも１つの照明器具Ｌ１〜Ｌ１１のそれぞれの外観の画像データ、および照明器具Ｌ１〜Ｌ１１のタイプの少なくともいずれか１つを含んでいてもよい。少なくとも１つの照明器具Ｌ１〜Ｌ１１のそれぞれのカタログ１００Ｂは、少なくとも１つの照明器具Ｌ１〜Ｌ１１のそれぞれの光の色温度のデータ照度のデータ、調光可能か否かを示すデータ、および調色可能か否かを示すデータを含んでいてもよい。少なくとも１つの照明器具Ｌ１〜Ｌ１１のそれぞれのカタログ１００Ｂは、少なくとも１つの照明器具Ｌ１〜Ｌ１１のそれぞれの設置部屋名、設置部位名、消費電力、品番、および価格の少なくともいずれか１つを含んでいてもよい。これによれば、紙ＰＡの照明器具Ｌ１〜Ｌ１１のカタログ１００Ｂと同様のカタログ１００Ｂを表示部２Ｂ上で提示することができる。
【００８２】
（９）  照明設計データベースＤＢ１は、一群の過去の住宅の平面図１００Ａの画像データおよび一群の過去の住宅の平面図１００Ａの画像データにそれぞれ対応する一群の過去の住宅の間取りＦＰのデータを互いに関連付けて予め記憶していてもよい。照明設計データベースＤＢ１が、住宅の平面図１００Ａの画像データおよび住宅の間取りＦＰのデータを受信する場合がある。この場合、照明設計データベースＤＢ１は、一群の過去の住宅の平面図１００Ａの画像データおよび一群の過去の住宅の間取りＦＰのデータに基づいて少なくとも１つの照明設計プラン１００を作成する。これによれば、照明設計データベースＤＢ１で容易に照明設計プラン１００を作成できるため、迅速に照明設計プラン１００を提示することができる。
【００８３】
（１０）  照明設計プラン提示プログラムＰは、コンピュータ３に次のステップ（ｖｉｉ）および（ｖｉｉｉ）を実行させるためのものである。
【００８４】
（ｖｉｉ）  操作部２Ａに第５の所定の操作がなされたことに基づいて記憶部４へ家族構成Ｆのデータを記憶させるステップ
（ｖｉｉｉ）  家族構成Ｆのデータを住宅の平面図１００Ａの画像データおよび住宅の間取りＦＰのデータとともに照明設計データベースＤＢ１に通信部５に送信させるステップ
照明設計データベースＤＢ１は、次のデータ（ａ）〜（ｃ）を互いに関連付けて予め記憶している。
【００８５】
（ａ）  一群の過去の住宅の平面図１００Ａの画像データ
（ｂ）  一群の過去の住宅の平面図１００Ａの画像データにそれぞれ対応する一群の過去の住宅の間取りＦＰのデータ
（ｃ）  一群の過去の住宅の平面図１００Ａの画像データにそれぞれ対応する一群の過去の家族構成Ｆのデータ
照明設計データベースＤＢ１は、住宅の平面図１００Ａの画像データ、住宅の間取りＦＰのデータ、および家族構成Ｆのデータを受信する場合がある。この場合には、照明設計データベースＤＢ１は、一群の過去の住宅の平面図１００Ａの画像データ、一群の過去の住宅の間取りＦＰのデータ、および一群の過去の家族構成Ｆのデータに基づいて少なくとも１つの照明設計プラン１００を作成する。
【００８６】
上記の構成によれば、住宅の平面図１００Ａおよび住宅の間取りＦＰだけでなく、家族構成Ｆも考慮して、住宅の少なくとも１つの照明設計プラン１００を顧客に提示することができる。
【００８７】
（１１）  照明設計プラン提示プログラムＰは、コンピュータ３に次のステップ（ｖｉｉｉ）および（ｉｘ）を実行させるためのものである。
【００８８】
（ｖｉｉｉ）  操作部２Ａに第６の所定の操作がなされたことに基づいて記憶部４へキーワードＫのデータを記憶させるステップ
（ｉｘ）  キーワードＫのデータを住宅の平面図１００Ａの画像データおよび住宅の間取りＦＰのデータとともに照明設計データベースＤＢ１に送信するステップ
照明設計データベースＤＢ１は、次のデータ（ａ）、（ｂ）、および（ｄ）を互いに関連付けて予め記憶している。
【００８９】
（ａ）  一群の過去の住宅の平面図１００Ａの画像データ
（ｂ）  一群の過去の住宅の平面図１００Ａの画像データにそれぞれ対応する過去の住宅の間取りＦＰのデータ
（ｄ）  一群の過去の住宅の平面図１００Ａの画像データにそれぞれ対応する一群の過去のキーワードＫのデータ
照明設計データベースＤＢ１は、住宅の平面図１００Ａの画像データ、住宅の間取りＦＰのデータ、およびキーワードＫのデータを受信する場合がある。この場合には、一群の過去の住宅の平面図１００Ａの画像データ、一群の過去の住宅の間取りＦＰのデータ、および一群の過去のキーワードＫのデータに基づいて少なくとも１つの照明設計プラン１００を作成する。
【００９０】
上記の構成によれば、住宅の平面図１００Ａおよび住宅の間取りＦＰだけでなく、キーワードＫも考慮して、住宅の少なくとも１つの照明設計プラン１００を顧客に提示することができる。
【００９１】
（１２）  住宅の間取りＦＰは、数字とアルファベットとの組合せ表示に加えて、住宅の向き、住宅の平面図における面積、和室洋室の区別、およびテレビ配線のプラグが差し込まれるプラグソケットの位置の少なくともいずれか１つを含んでいてもよい。これによれば、住宅の平面図１００Ａのデータに近い過去の住宅の平面図１００Ａを利用して照明設計プラン１００を作成することが容易になる。
【符号の説明】
【００９２】
１  撮像部
２  タッチパネル
２Ａ  操作部
２Ｂ  表示部
３  コンピュータ（制御部）
４  記憶部
５  通信部
１０  端末装置
１００  照明設計プラン
１００Ａ  住宅の平面図
１００Ｂ  カタログ
１０００  一群の過去の照明設計プラン
ＤＢ１  照明設計データベース
Ｆ  家族構成
ＦＰ  住宅の間取り
Ｋ  キーワード
Ｌ１〜Ｌ１１  照明器具
Ｐ  照明設計プラン提示プログラム
【図１】
2020154617.tif 000003
【図２】
2020154617.tif 000004
【図３】
2020154617.tif 000005
【図４】
2020154617.tif 000006
【図５】
2020154617.tif 000007
【図６】
2020154617.tif 000008
【図７】
2020154617.tif 000009
【図８】
2020154617.tif 000010
【図９】
2020154617.tif 000011
【図１０】
2020154617.tif 000012
【図１１】
2020154617.tif 000013